(57)【要約】【課題】本考案は、使用後のつけまつげの収容の煩わしさを軽減し、容易に収容するつけまつげ収容器具を提供する。【解決手段】本考案は、つけまつげを接着する面を有する基部１００と基部１００を支える吸着部２００を有する。基部１００と吸着部２００を接続一体化し、鏡或いは化粧台などの任意の位置に配置し、使用後のつけまつげの付根の装着部分に残っている装着剤を利用し、基部１００の滑らかで緩やかなカーブに沿って任意の位置に、部分的或いは全体的に接着することで収容の負担を軽減する。【選択図】図１
0003198521.tif 000002
【実用新案登録請求の範囲】
【請求項１】
使用後のつけまつげを接着する面を有する基部と基部を支える吸着部を
有し、基部は基部の中央部より両側につけまつげの付根の装着部分の形状
に近い丸みを帯びた球体状の接着面を有し、滑らかな表面とつけまつげの
付根の装着部分の幅全体を接着できる幅を持ち、吸着部は鏡等に配置自在      
としたことを特徴とするつけまつげ収容器具。    
【考案の詳細な説明】
【技術分野】
【０００１】
本考案は、つけまつげ収容器具に関する。
【背景技術】
【０００２】
つけまつげの種類が増え、需要は拡大傾向にある。ユーザーは、形状の異なるつけまつげをＴＰＯに合わせ使用するようになってきている。
中には複数回に亘り使用可能な製品もあり、使用後のつけまつげは、購入時に入っていた蓋付のケース内の湾曲した形状の突起に沿って戻し収容するか、不特定場所例えば、化粧品の瓶や蓋、化粧台の隅に接着するなどの収容が一般的であった。
【０００３】
上記の他には、つけまつげがいつも新鮮さを維持するようにした包装ケース（特許文献１）や、つけまつげの形状を製造時の理想的で美しいカーブ形状のまま長時間保持できる収容保管ケース（特許文献３）や、つけまつげの保管中にそのまつげ部を湾曲状に癖付け（カール）させ得る機能を有する簡便なつけまつげプレスカールケース（特許文献２）
などが開示されている。
【先行技術文献】
【特許文献】
【０００４】
【特許文献１】特開２００８−２９６００４号公報
【特許文献２】特許第４５４２６２２号公報
【特許文献３】実用新案登録第３１５７６６８０号公報
【考案の概要】
【考案が解決しようとする課題】
【０００５】
特許文献１，２，３において開示されているつけまつげケース等はいずれもつけまつげの形状をきれいに保つことを特徴としているが、所定の位置に例えば特許文献３においては、包装ケースの蓋を開き弧状突起形状の保持台につけまつげを固定維持させなければならない。      
【０００６】
本考案は、使用後の左右のつけまつげを迅速且つ容易に収容することができ、使用時には左右間違わずに選択と装着することを求めるユーザーに提供するものである。
【０００７】
多くの化粧品を保持する中で、変形し易いつけまつげの収容場所の確保が難しいユーザーに提供するものである。
【０００８】
使用後のつけまつげに付着している装着剤を、化粧品の瓶や蓋、化粧台などに収容することで生じる装着剤の付着を防ぎたいユーザーに提供するものである。
【課題を解決するための手段】
【０００９】
基部は、つけまつげの付根の装着部分の形状に近い丸みを帯びた球体状に近い形状を有している。
【００１０】
基部の表面は滑らかで、使用後のつけまつげをユーザーの任意の位置に、部分的或いは全面的に接着することができる幅を有している。        
【００１１】
使用後のつけまつげは、基部の緩やかで滑らかな丸みを帯びた球体に近い形状に沿って任意の位置に接着することで、使用前の形状に近い状態で維持収容することができる。  
【００１２】
使用後のつけまつげの付根の装着部分に残っている装着剤の粘着性を利用し、基部の任意の位置に接着することで、迅速且つ容易に収容することができるが、装着部分の装着剤が欠落している箇所には新たに塗布することで、基部の丸みを帯びた形状に沿って全面的に接着することができる。
【００１３】
基部と吸着部は一体化して、吸着部を鏡或いは任意の場所に配置させることで、使用後のつけまつげの専用の収容場所を確保することができる。
【考案の効果】
【００１４】
使用後のつけまつげの収容は、つけまつげの形状を著しく変形させることなく、つけまつげ同志の絡まりや収容時の煩わしさを軽減することができる。
【００１５】
使用後のつけまつげはユーザーの任意の基部の位置に接着することで収容を容易にし、種類の異なる複数のつけまつげも収容することができる。
【００１６】
鏡の隅のデッドスペースがつけまつげ専用の収容場所として利用できる。
【図面の簡単な説明】
【００１７】
【図１】本考案のつけまつげを全面的に貼った状態の正面図
【図２】本考案のつけまつげを部分的に貼った状態の正面図
【図３】本考案の斜視図
【図４】本考案を上から見下ろした図
【考案を実施するための形態】
【００１８】
以下、図面を参照しながら本考案の形態について説明する。
本考案の実施例である図１は、右のつけまつげは、基部の中央３００に対し略垂直方向に基部の右４００に全面的に接着したもので、左のつけまつげは、基部の中央に対し、略平行方向に基部の左５００に全面的に接着したものの正面図を示す。
【００１９】
収容器具はプラスチック等の軽量素材で一体化形成された基部１００と基部１００を支える吸着部２００で構成されている。基部１００と吸着部２００とを一体にして、鏡等に配置して使用するが、例えば鏡に配置した場合には、基部の右４００と基部の中央３００と基部の左５００が横並びになるよう配置することが望ましい。基部１００を横並びすることで、使用後の左右のつけまつの収容と使用時の装着をスムーズに行える。
【００２０】
基部１００と吸着部２００は吸着部２００の上部にある円柱状の凸状部に沿って、基部１００の下部いある円柱状の凹状部を組み合わせ接続し使用するが、基部１００と吸着部２００に分離することができる。
【００２１】
基部の右４００と基部の左５００は同じ形状で構成され、基部の中央３００より左右三次元方向に屈曲している。
【００２２】
基部１００はリボンを結んだ形状をイメージするもので、幅は基部の中央３００より左右外側に向かって広くなっている。  
【００２３】
基部１００と吸着部２００を一体にして鏡に配置することが望ましいが、化粧台等でも配置することができる。    
【００２４】
本考案の実施例である図２は、基部の右４００と基部の左５００につけまつげを部分的に任意の位置に接着したものの正面図を示す。この様な接着により、一層迅速な収容ができる。
【００２５】
基部１００が吸着部２００の上面に対して略平行になるように設けられているが、基部１００が傾くよう吸着部２００の上面に設けられる或いは可動可能な形態であってもよい。
【００２６】
基部１００は軽量な素材であれば、どの様な素材により形成されてもよい。例えばプラスチックが一般的である。また、基部１００の形状はリボンを結んだようなものに限定されない。例えばハート、乗り物、植物、動物、魚類、昆虫、キャラクター等も接着し易い接着面や形状であればよい。
【産業上の利用可能性】
【００２７】
本考案のつけまつげ収容器具の色は、マルセルシステム４０色相のカラーサークルなどから、いくつかの色相の選択をし提供すると想定すると、その中からユーザーが好みの色相を選択することで、ユーザーの部屋の色相に合わせたインテリアとして調和をはかることができる。或いは、アクセント色の一つとして彩りを添える効果が期待できる。      
【符号の説明】
【００２８】
１００：基部
２００：吸着部
３００：基部の中央
４００：基部の右
５００：基部の左  
１０：つけまつげ
【図１】
0003198521.tif 000003
【図２】
0003198521.tif 000004
【図３】
0003198521.tif 000005
【図４】
0003198521.tif 000006